(57)【要約】【課題】複数に分割された表示画面の各分割領域がフォーカスされているか否かをユーザが意識することなく、所望の表示位置に容易に操作画面を表示させることが可能な画面分割表示装置、それを備えた測定装置、及び画面分割表示方法を提供する。【解決手段】制御部は、操作部への操作に応じて表示部の表示画面２０を複数の分割領域に分割する際の分割数及び分割形状を設定するための分割設定ボタン２７と、スロットキーにより選択された測定モジュールの操作画面が表示される分割領域とその他の分割領域との位置関係を仮表示するプレビュー画面２８と、プレビュー画面２８において仮表示された複数の分割領域の位置関係を操作部への操作に応じて入れ替えることにより、スロットキーにより選択された操作画面の表示位置を指定するための表示位置入替ボタン２９とを含む表示位置指定ウィンドウ２６を表示制御する。【選択図】図６
2018128813.tif 000002
【特許請求の範囲】
【請求項１】
測定装置（１００，１１０，１２０）が有する複数の測定モジュール（Ｍ）にそれぞれ対応した操作画面（２１）を表示可能な表示部（１２）と、前記表示部の表示内容を制御する表示制御部（１３）と、前記表示部に表示された表示内容に対する操作を受け付ける操作部（１４）と、を備える画面分割表示装置（１０）であって、
前記表示制御部は、
前記操作部への操作に応じて前記複数の測定モジュールの中から前記操作画面を呼び出すべき測定モジュールを選択するための測定モジュール選択手段（２２）と、前記測定モジュール選択手段により選択された前記測定モジュールの前記操作画面の表示位置を指定するための表示位置指定手段（２６）とを前記表示部に表示制御するとともに、
前記表示位置指定手段により指定された前記表示位置に、前記測定モジュール選択手段により選択された前記測定モジュールの前記操作画面を表示制御し、
前記表示位置指定手段は、
前記操作部への操作に応じて前記表示部の表示画面（２０）を複数の分割領域に分割する際の分割数及び分割形状を設定するための分割設定手段（２７）と、
前記複数の分割領域について、前記測定モジュール選択手段により選択された前記測定モジュールの前記操作画面が表示される分割領域とその他の分割領域との位置関係を仮表示する表示位置仮表示手段（２８）と、
前記表示位置仮表示手段において仮表示された前記複数の分割領域の位置関係を前記操作部への操作に応じて入れ替えることにより、前記測定モジュール選択手段により選択された前記測定モジュールの前記操作画面を表示させる分割領域を前記表示位置として指定するための表示位置入替手段（２９）と、を含むことを特徴とする画面分割表示装置。
【請求項２】
前記表示制御部は、前記表示位置入替手段に対する前記操作部への操作に応じて、前記表示位置仮表示手段において前記複数の分割領域のうち隣り合う分割領域の位置関係を入れ替えて表示させることを特徴とする請求項１に記載の画面分割表示装置。
【請求項３】
前記操作画面は、各前記測定モジュールに入力される電気信号を測定するため、又は、各前記測定モジュールから所望の電気信号を出力するために必要な測定パラメータを設定するための画面を含むことを特徴とする請求項１又は請求項２に記載の画面分割表示装置。
【請求項４】
前記操作部は、前記表示部の前記表示画面の表面に設けられたタッチパネルで構成されることを特徴とする請求項１から請求項３のいずれか一項に記載の画面分割表示装置。
【請求項５】
前記分割設定手段は、前記表示画面の分割を解除するための分割解除手段（２７）を含むことを特徴とする請求項１から請求項４のいずれか一項に記載の画面分割表示装置。
【請求項６】
請求項１から請求項５のいずれか一項に記載の画面分割表示装置と、
複数の測定モジュールを実装するための複数のスロット（ＳＬ１〜ＳＬｎ）と、を備えることを特徴とする測定装置。
【請求項７】
前記複数の測定モジュールのうちの少なくとも２つは、被試験対象（２００）にパルスパターンを出力するパルスパターン発生器（１６）と、前記パルスパターン発生器からの前記パルスパターンの入力に伴って前記被試験対象から出力される被測定信号と前記パルスパターンとを比較して、前記被測定信号の誤りを検出する誤り検出器（１７）であることを特徴とする請求項６に記載の測定装置。
【請求項８】
前記複数の測定モジュールのうちの少なくとも２つは、被試験対象（２００）に試験信号を出力する信号発生器（４１）と、前記信号発生器からの前記試験信号の入力に伴って前記被試験対象から出力される被測定信号を解析する信号解析装置（４２）であることを特徴とする請求項６に記載の測定装置。
【請求項９】
測定装置（１００，１１０，１２０）が有する複数の測定モジュール（Ｍ）にそれぞれ対応した操作画面（２１）を表示可能な表示部（１２）と、前記表示部の表示内容を制御する表示制御部（１３）と、前記表示部に表示された表示内容に対する操作を受け付ける操作部（１４）と、を備える画面分割表示装置（１０）を用いる画面分割表示方法であって、
前記操作部への操作に応じて前記複数の測定モジュールの中から前記操作画面を呼び出すべき測定モジュールを選択するための測定モジュール選択手段（２２）を前記表示部に表示制御する第１の表示制御ステップ（Ｓ１）と、
前記測定モジュール選択手段により選択された前記測定モジュールの前記操作画面の表示位置を指定するための表示位置指定手段（２６）を前記表示部に表示制御する第２の表示制御ステップ（Ｓ４）と、
前記表示位置指定手段により指定された前記表示位置に、前記測定モジュール選択手段により選択された前記測定モジュールの前記操作画面を表示制御する第３の表示制御ステップ（Ｓ９）と、を含み、
前記第２の表示制御ステップは、
前記操作部への操作に応じて前記表示部の表示画面（２０）を複数の分割領域に分割する際の分割数及び分割形状を設定するための分割設定手段（２７）と、
前記複数の分割領域について、前記測定モジュール選択手段により選択された前記測定モジュールの前記操作画面が表示される分割領域とその他の分割領域との位置関係を仮表示する表示位置仮表示手段（２８）と、
前記表示位置仮表示手段において仮表示された前記複数の分割領域の位置関係を前記操作部への操作に応じて入れ替えることにより、前記測定モジュール選択手段により選択された前記測定モジュールの前記操作画面の前記表示位置を指定するための表示位置入替手段（２９）と、を前記表示位置指定手段として表示制御することを特徴とする画面分割表示方法。
【発明の詳細な説明】
【技術分野】
【０００１】
本発明は、画面分割表示装置、それを備えた測定装置、及び画面分割表示方法に関し、特に、測定装置が有する複数の測定モジュールにそれぞれ対応した操作画面を表示するための画面分割表示装置、それを備えた測定装置、及び画面分割表示方法に関する。
【背景技術】
【０００２】
近年、通信システムは高速化の一途をたどっており、通信システムを構成する電子機器や通信機器の高性能化が進んでいる。このような高速の通信システムに対応した機器の品質評価に際しては、擬似ランダムビット系列などのパルスパターンを用いた誤り検出装置による試験が広く行われている。
【０００３】
誤り検出装置は、パルスパターンを被試験対象（Device Under Test：ＤＵＴ）となる機器に送信し、送信したパルスパターンとＤＵＴから返送されたパルスパターンとを比較してビットの誤りを検出する装置である（例えば、特許文献１参照）。
【０００４】
上記のような従来の誤り検出装置は、パルスパターン発生器のモジュールと誤り検出器のモジュールとをそれぞれ複数備えており、それらをマルチプレクサやデマルチプレクサと組み合わせることで、高ビットレートのパルスパターンによる誤り検出を実行することが可能になっている。
【０００５】
また、従来の誤り検出装置においては、複数のモジュールごとに測定パラメータの設定などを行うための操作画面が用意されている。これらの操作画面は、表示装置の表示画面に１画面表示されるだけでなく、表示画面の複数に分割された分割領域のうちのいずれかに表示させることも可能である。表示画面が複数に分割されている状態では、新規の操作画面は、現在フォーカスされていない分割領域に表示されるようになっている。
【先行技術文献】
【特許文献】
【０００６】
【特許文献１】特開２０１４−６８１７９号公報
【発明の概要】
【発明が解決しようとする課題】
【０００７】
しかしながら、特許文献１に開示されたような従来の誤り検出装置においては、各分割領域がフォーカスされているか否かをユーザが判別することが難しかった。このため、既にパルスパターン発生器の操作画面が表示されている状態で、誤り検出器の操作画面を表示させたい場合に、次に述べるような問題が起こり得る。例えば、パルスパターン発生器の操作画面がフォーカスされていない場合には、パルスパターン発生器の操作画面が表示されていた分割領域に誤り検出器の操作画面が表示されてしまい、パルスパターン発生器と誤り検出器の操作画面を同時に表示できなくなるという問題があった。
【０００８】
本発明は、このような従来の課題を解決するためになされたものであって、複数に分割された表示画面の各分割領域がフォーカスされているか否かをユーザに意識させることなく、所望の表示位置に容易に測定モジュールごとの操作画面を表示させることが可能な画面分割表示装置、それを備えた測定装置、及び画面分割表示方法を提供することを目的とする。
【課題を解決するための手段】
【０００９】
上記課題を解決するために、本発明に係る画面分割表示装置は、測定装置が有する複数の測定モジュールにそれぞれ対応した操作画面を表示可能な表示部と、前記表示部の表示内容を制御する表示制御部と、前記表示部に表示された表示内容に対する操作を受け付ける操作部と、を備える画面分割表示装置であって、前記表示制御部は、前記操作部への操作に応じて前記複数の測定モジュールの中から前記操作画面を呼び出すべき測定モジュールを選択するための測定モジュール選択手段と、前記測定モジュール選択手段により選択された前記測定モジュールの前記操作画面の表示位置を指定するための表示位置指定手段とを前記表示部に表示制御するとともに、前記表示位置指定手段により指定された前記表示位置に、前記測定モジュール選択手段により選択された前記測定モジュールの前記操作画面を表示制御し、前記表示位置指定手段は、前記操作部への操作に応じて前記表示部の表示画面を複数の分割領域に分割する際の分割数及び分割形状を設定するための分割設定手段と、前記複数の分割領域について、前記測定モジュール選択手段により選択された前記測定モジュールの前記操作画面が表示される分割領域とその他の分割領域との位置関係を仮表示する表示位置仮表示手段と、前記表示位置仮表示手段において仮表示された前記複数の分割領域の位置関係を前記操作部への操作に応じて入れ替えることにより、前記測定モジュール選択手段により選択された前記測定モジュールの前記操作画面を表示させる分割領域を前記表示位置として指定するための表示位置入替手段と、を含む構成である。
【００１０】
この構成により、本発明に係る画面分割表示装置は、実際に測定モジュールごとの操作画面の表示を行う前に、表示位置指定手段により表示画面の分割と操作画面の表示位置の指定を行うことができる。このため、本発明に係る画面分割表示装置は、複数に分割された表示画面の各分割領域がフォーカスされているか否かをユーザに意識させることなく、所望の表示位置に容易に測定モジュールごとの操作画面を表示させることができる。
【００１１】
また、本発明に係る画面分割表示装置においては、前記表示制御部は、前記表示位置入替手段に対する前記操作部への操作に応じて、前記表示位置仮表示手段において前記複数の分割領域のうち隣り合う分割領域の位置関係を入れ替えて表示させる構成であってもよい。
【００１２】
この構成により、本発明に係る画面分割表示装置は、上下又は左右の分割領域に、所望の測定モジュールの操作画面を感覚的に移動操作することを可能にする。
【００１３】
また、本発明に係る画面分割表示装置においては、前記操作画面は、各前記測定モジュールに入力される電気信号を測定するため、又は、各前記測定モジュールから所望の電気信号を出力するために必要な測定パラメータを設定するための画面を含む構成であってもよい。
【００１４】
この構成により、本発明に係る画面分割表示装置は、測定装置が有する複数の測定モジュールごとに、測定パラメータを設定することができる。
【００１５】
また、本発明に係る画面分割表示装置においては、前記操作部は、前記表示部の前記表示画面の表面に設けられたタッチパネルで構成されていてもよい。
【００１６】
この構成により、本発明に係る画面分割表示装置は、装置の小型化を図れるとともに、良好な操作性を得ることができる。
【００１７】
また、本発明に係る画面分割表示装置においては、前記分割設定手段は、前記表示画面の分割を解除するための分割解除手段を含む構成であってもよい。
【００１８】
この構成により、本発明に係る画面分割表示装置は、表示画面の分割を解除して、操作画面を１画面表示に戻すことができる。また、本発明に係る画面分割表示装置は、２画面分割と１画面表示を切り替える明確な手段を与えるため、ユーザが望む画面表示を容易に実現することができる。
【００１９】
上記課題を解決するために、本発明に係る測定装置は、上記のいずれかの画面分割表示装置と、複数の測定モジュールを実装するための複数のスロットと、を備える構成である。
【００２０】
この構成により、本発明に係る測定装置は、測定試験に応じて、測定モジュールを適宜組み合わせて実装することを可能にする。
【００２１】
また、本発明に係る測定装置においては、前記複数の測定モジュールのうちの少なくとも２つは、被試験対象にパルスパターンを出力するパルスパターン発生器と、前記パルスパターン発生器からの前記パルスパターンの入力に伴って前記被試験対象から出力される被測定信号と前記パルスパターンとを比較して、前記被測定信号の誤りを検出する誤り検出器であってもよい。
【００２２】
この構成により、本発明に係る測定装置は、被試験対象から出力される被測定信号に対して誤り率測定を実行することができる。
【００２３】
また、本発明に係る測定装置においては、前記複数の測定モジュールのうちの少なくとも２つは、被試験対象に試験信号を出力する信号発生器と、前記信号発生器からの前記試験信号の入力に伴って前記被試験対象から出力される被測定信号を解析する信号解析装置であってもよい。
【００２４】
この構成により、本発明に係る測定装置は、被試験対象から出力される被測定信号に対して、品質評価を実行することができる。
【００２５】
上記課題を解決するために、本発明に係る画面分割表示方法は、測定装置が有する複数の測定モジュールにそれぞれ対応した操作画面を表示可能な表示部と、前記表示部の表示内容を制御する表示制御部と、前記表示部に表示された表示内容に対する操作を受け付ける操作部と、を備える画面分割表示装置を用いる画面分割表示方法であって、前記操作部への操作に応じて前記複数の測定モジュールの中から前記操作画面を呼び出すべき測定モジュールを選択するための測定モジュール選択手段を前記表示部に表示制御する第１の表示制御ステップと、前記測定モジュール選択手段により選択された前記測定モジュールの前記操作画面の表示位置を指定するための表示位置指定手段を前記表示部に表示制御する第２の表示制御ステップと、前記表示位置指定手段により指定された前記表示位置に、前記測定モジュール選択手段により選択された前記測定モジュールの前記操作画面を表示制御する第３の表示制御ステップと、を含み、前記第２の表示制御ステップは、前記操作部への操作に応じて前記表示部の表示画面を複数の分割領域に分割する際の分割数及び分割形状を設定するための分割設定手段と、前記複数の分割領域について、前記測定モジュール選択手段により選択された前記測定モジュールの前記操作画面が表示される分割領域とその他の分割領域との位置関係を仮表示する表示位置仮表示手段と、前記表示位置仮表示手段において仮表示された前記複数の分割領域の位置関係を前記操作部への操作に応じて入れ替えることにより、前記測定モジュール選択手段により選択された前記測定モジュールの前記操作画面の前記表示位置を指定するための表示位置入替手段と、を前記表示位置指定手段として表示制御する構成である。
【００２６】
この構成により、本発明に係る画面分割表示方法は、実際に測定モジュールごとの操作画面の表示を行う前に、表示位置指定手段により表示画面の分割と操作画面の表示位置の指定を行うことができる。このため、本発明に係る画面分割表示方法は、複数に分割された表示画面の各分割領域がフォーカスされているか否かをユーザに意識させることなく、所望の表示位置に容易に測定モジュールごとの操作画面を表示させることができる。
【発明の効果】
【００２７】
本発明は、複数に分割された表示画面の各分割領域がフォーカスされているか否かをユーザに意識させることなく、所望の表示位置に容易に測定モジュールごとの操作画面を表示させることが可能な画面分割表示装置、それを備えた測定装置、及び画面分割表示方法を提供するものである。
【図面の簡単な説明】
【００２８】
【図１】本発明の一実施形態に係る画面分割表示装置の構成を示すブロック図である。
【図２】本発明の一実施形態に係る誤り検出装置の構成を示すブロック図である。
【図３】本発明の一実施形態に係る誤り検出装置における表示部の表示例である。
【図４】画面分割ボタンが押下されて表示位置指定ウィンドウが表示されたときの表示部の表示例である。
【図５】表示位置指定ウィンドウにおいて１画面表示を設定する場合の表示例である。
【図６】表示位置指定ウィンドウにおいて２分割表示を設定する場合の表示例である。
【図７】表示位置指定ウィンドウにおいて４分割表示を設定する場合の表示例である。
【図８】表示位置指定ウィンドウにおいて３分割表示を設定する場合の表示例である。
【図９】表示位置指定ウィンドウにより４分割表示が設定されたときの表示部の表示例である。
【図１０】本発明の一実施形態に係る無線端末測定装置の構成を示すブロック図である。
【図１１】本発明の一実施形態に係る画面分割表示装置による画面分割表示方法の処理を示すフローチャートである。
【発明を実施するための形態】
【００２９】
以下、本発明に係る画面分割表示装置、それを備えた測定装置、及び画面分割表示方法の実施形態について、図面を用いて説明する。
【００３０】
図１に示すように、本実施形態に係る画面分割表示装置１０は、測定装置１００に備えられている。画面分割表示装置１０は、測定装置１００の測定部１１が有する複数の測定モジュールＭ（Ｍａ〜Ｍｄ）にそれぞれ対応した操作画面を表示可能な表示部１２と、表示部１２の表示内容を制御する表示制御部としての制御部１３と、表示部１２に表示された表示内容に対する操作を受け付ける操作部１４と、を備える。
【００３１】
表示部１２は、例えばＬＣＤやＣＲＴなどの表示機器で構成され、制御部１３からの制御信号に応じて、各測定モジュールＭに対応した設定項目や測定結果などの各種表示内容を表示するようになっている。さらに、表示部１２は、設定項目のパラメータなどを設定するためのボタン、ソフトキー、プルダウンメニュー、テキストボックスなどの操作対象を表示するものであってもよい。
【００３２】
制御部１３は、例えばＣＰＵ、ＲＯＭ、ＲＡＭ、ＨＤＤなどを含むマイクロコンピュータで構成され、測定装置１００を構成する上記各部の動作を制御するようになっている。
【００３３】
操作部１４は、ユーザによる操作入力を行うためのものであり、例えば表示部１２の表示画面の表面に設けられたタッチパネルで構成される。あるいは、操作部１４は、キーボード又はマウスのような入力デバイスを含んで構成されてもよい。
【００３４】
測定装置１００は、その筐体に複数の測定モジュールＭを実装するための複数のスロットＳＬ１〜ＳＬｎが設けられている。複数の測定モジュールＭは、各スロットＳＬ１〜ＳＬｎと着脱可能に構成されている。なお、図１には複数のスロットの個数ｎが８である例を示しているが、本発明はこれに限定されず、スロットの個数ｎは２以上の整数であればよい。また、図１には８つのスロットＳＬ１〜ＳＬ８に実装された測定モジュールＭの個数が４である例を示しているが、本発明はこれに限定されず、複数のスロットに実装される測定モジュールの個数は２以上であればよい。
【００３５】
例えば図１において、スロットＳＬ２に実装された測定モジュールＭａはジッタ変調源（Ｊｉｔｔｅｒ）１５、スロットＳＬ３に実装された測定モジュールＭｂはパルスパターン発生器（ＰＰＧ）１６、スロットＳＬ４に実装された測定モジュールＭｃは誤り検出器（ＥＤ）１７、スロットＳＬ５に実装された測定モジュールＭｄはシンセサイザ（Ｓｙｎｔｈｅ）１８である。残りのスロットＳＬ１，ＳＬ５，ＳＬ７，ＳＬ８が空となっている。これらの測定モジュールＭにより、図２に示すような誤り検出装置１１０が構成される。
【００３６】
ＤＵＴ２００は、パルスパターン発生器１６からの試験信号の入力に伴ってＤＵＴ２００から出力される被測定信号を、誤り検出器１７に出力するように配置される。ＤＵＴ２００が対応する規格の例としては、PCI Express（登録商標）、ＵＳＢ（登録商標）、ＣＥＩ（Common Electrical Interface）、Ethernet（登録商標）、InfiniBandなどが挙げられる。
【００３７】
ジッタ変調源１５は、シンセサイザ１８が生成するクロックに所望のジッタを付加してジッタクロックを発生させるようになっている。パルスパターン発生器１６は、ジッタ変調源１５から入力されたジッタクロックを用いて、２ｎ−１のビット周期を有する擬似ランダムビット系列などのパルスパターンを発生させ、発生させたパルスパターンを試験信号としてＤＵＴ２００に出力するようになっている。
【００３８】
誤り検出器１７は、ＤＵＴ２００からの被測定信号と試験信号とを比較して、被測定信号のビット誤り率を検出するようになっている。
【００３９】
なお、パルスパターン発生器１６及び誤り検出器１７をそれぞれスロットＳＬ１〜ＳＬｎに複数個実装して、それらをマルチプレクサやデマルチプレクサと組み合わせることにより、更に高ビットレートでの誤り検出を実行することも可能である。
【００４０】
図３等に示すように、制御部１３は、ユーザによる操作部１４への操作に応じて、複数のスロットＳＬ１〜ＳＬｎのいずれかに実装された複数の測定モジュールＭの中から操作画面２１を呼び出すべき測定モジュールを選択するためのスロットキー２２を、表示部１２の表示画面２０に表示制御するようになっている。ここで、スロットキー２２は測定モジュール選択手段を構成する。
【００４１】
操作画面２１は、例えば、測定装置１００が有する各測定モジュールＭに入力される電気信号を測定するため、又は、各測定モジュールＭから所望の電気信号を出力するために必要な測定パラメータを設定するための画面を含む。この操作画面２１は、複数の測定モジュールＭごとに用意されている。
【００４２】
スロットキー２２は、ユーザによる操作部１４への操作により押下されてオン状態となることで、対応するスロットＳＬ１〜ＳＬｎに実装された測定モジュールＭの操作画面２１を呼び出すためのキーである。さらに、オン状態のスロットキー２２が再押下されると、対応するスロットに実装された測定モジュールＭの操作画面を閉じることができるようになっていてもよい。
【００４３】
図３は、スロットＳＬ２に測定モジュールＭとしてジッタ変調源１５が実装されており、スロットキー２２によりスロットＳＬ２が選択されたことにより、ジッタ変調源１５の操作画面２１が表示部１２に１画面表示されている状況を示している。
【００４４】
また、制御部１３は、スロットキー２２により選択された測定モジュールＭの操作画面２１の表示位置を指定するための表示位置指定手段を呼び出す画面分割ボタン２３を表示部１２に表示制御するようになっている。
【００４５】
また、図３等に示すように、制御部１３は、例えば、測定開始を指定するための測定開始ボタン２４や、測定停止を指定するための測定停止ボタン２５などを、表示部１２の所定領域に表示するようになっている。
【００４６】
図４に示すように、画面分割ボタン２３の押下状態がオンになると、制御部１３は、スロットキー２２により選択された測定モジュールＭの操作画面２１の表示位置を指定するための表示位置指定手段としての表示位置指定ウィンドウ２６を表示部１２に表示制御する。また、制御部１３は、表示位置指定ウィンドウ２６により指定された表示位置に、スロットキー２２により選択された測定モジュールＭの操作画面２１を表示制御するようになっている。
【００４７】
図５〜図７に示すように、表示位置指定ウィンドウ２６は、分割設定手段又は分割解除手段としての分割設定ボタン２７と、表示位置仮表示手段としてのプレビュー画面２８と、表示位置入替手段としての表示位置入替ボタン２９と、ＯＫボタン３０と、Ｃａｎｃｅｌボタン３１と、を含む。
【００４８】
分割設定ボタン２７は、操作部１４への操作に応じて表示部１２の表示画面２０を複数の分割領域に分割する際の分割数及び分割形状を設定したり、複数に分割された表示画面２０の分割を解除して１画面表示を行ったりするためのボタンである。なお、分割された各分割領域のサイズは均等であってもそうでなくてもよい。
【００４９】
プレビュー画面２８は、分割設定ボタン２７により設定された分割数及び分割形状で分割された複数の分割領域について、スロットキー２２により選択された測定モジュールＭの操作画面２１が表示される分割領域とその他の分割領域との位置関係を仮表示するようになっている。
【００５０】
表示位置入替ボタン２９は、プレビュー画面２８において仮表示された複数の分割領域の位置関係を操作部１４への操作に応じて入れ替えることにより、スロットキー２２により選択された測定モジュールＭの操作画面２１を表示させる表示位置、すなわち分割領域を指定するためのボタンである。
【００５１】
ＯＫボタン３０は、スロットキー２２により選択された測定モジュールＭの操作画面２１を、分割設定ボタン２７及び表示位置入替ボタン２９により設定された表示部１２の表示位置に実際に表示させるためのボタンである。
【００５２】
Ｃａｎｃｅｌボタン３１は、分割設定ボタン２７及び表示位置入替ボタン２９により設定された内容を、表示部１２の表示内容に反映させずに、表示位置指定ウィンドウ２６を閉じるためのボタンである。
【００５３】
図５に示すように、分割設定ボタン２７の"Single"が選択されている場合には、プレビュー画面２８は、スロットＳＬ２に実装されたジッタ変調源１５の操作画面２１が表示部１２に１画面表示される様子を仮表示する。
【００５４】
図６（ａ）に示すように、分割設定ボタン２７の"Left-Right"が選択されている場合には、プレビュー画面２８は、スロットＳＬ２に実装されたジッタ変調源１５の操作画面２１が、左右に２分割された分割領域の左側に配置される様子を仮表示する。この状態において表示位置入替ボタン２９が押下されると、プレビュー画面２８は、スロットＳＬ２に実装されたジッタ変調源１５の操作画面２１が、左右に２分割された分割領域の右側に配置される様子を仮表示する。
【００５５】
図６（ｂ）に示すように、分割設定ボタン２７の"Up-Down"が選択されている場合には、プレビュー画面２８は、スロットＳＬ２に実装されたジッタ変調源１５の操作画面２１が、上下に２分割された分割領域の上側に配置される様子を仮表示する。この状態において表示位置入替ボタン２９が押下されると、プレビュー画面２８は、スロットＳＬ２に実装されたジッタ変調源１５の操作画面２１が、上下に２分割された分割領域の下側に配置される様子を仮表示する。
【００５６】
図７（ａ）に示すように、分割設定ボタン２７の"Quarters"が選択されている場合には、プレビュー画面２８は、スロットＳＬ２に実装されたジッタ変調源１５の操作画面２１が、上下左右に４分割された分割領域の左上側に配置される様子を仮表示する。この状態において表示位置入替ボタン２９ａが押下されると、プレビュー画面２８は、スロットＳＬ２に実装されたジッタ変調源１５の操作画面２１が、上下左右に４分割された分割領域の右上側に配置される様子を仮表示する。この状態において更に表示位置入替ボタン２９ｃが押下されると、プレビュー画面２８は、スロットＳＬ２に実装されたジッタ変調源１５の操作画面２１が、図７（ｂ）に示すように上下左右に４分割された分割領域の右下側に配置される様子を仮表示する。
【００５７】
あるいは、図７（ａ）に示す状態において表示位置入替ボタン２９ｂが押下されると、プレビュー画面２８は、スロットＳＬ２に実装されたジッタ変調源１５の操作画面２１が、上下左右に４分割された分割領域の左下側に配置される様子を仮表示する。この状態において更に表示位置入替ボタン２９ｄが押下されると、プレビュー画面２８は、スロットＳＬ２に実装されたジッタ変調源１５の操作画面２１が、図７（ｂ）に示すように上下左右に４分割された分割領域の右下側に配置される様子を仮表示する。
【００５８】
なお、表示画面２０の分割数は上述の２や４に限らず、３やその他の値であってもよい。図８（ａ）及び（ｂ）に分割数が３の場合のプレビュー画面２８の一例を示す。例えば、図８（ａ）に示す状態において表示位置入替ボタン２９ｅが押下されると、プレビュー画面２８は、スロットＳＬ２に実装されたジッタ変調源１５の操作画面２１が、３分割された分割領域の右上側に配置される様子を仮表示する。
【００５９】
また、図８（ａ）に示す状態において表示位置入替ボタン２９ｆが押下されると、プレビュー画面２８は、上側に１画面、下側に２画面となる３つの分割領域の左下側に、スロットＳＬ２に実装されたジッタ変調源１５の操作画面２１が配置される様子を仮表示する。また、図８（ｂ）に示す状態において表示位置入替ボタン２９ｇが押下されると、プレビュー画面２８は、右側に１画面、左側に２画面となる３つの分割領域の右側に、スロットＳＬ２に実装されたジッタ変調源１５の操作画面２１が配置される様子を仮表示する。
【００６０】
このように、制御部１３は、表示位置入替ボタン２９に対する操作部１４への操作に応じて、プレビュー画面２８において複数の分割領域のうち隣り合う分割領域の位置関係を入れ替えて表示させるようになっている。
【００６１】
図９は、図７（ｂ）の状態においてＯＫボタン３０が押下されることにより、表示部１２の右下の分割領域にスロットキー２２により選択された測定モジュールＭの操作画面２１が表示される様子を示している。
【００６２】
図９の状態から更に他のスロットに実装された測定モジュールＭの操作画面２１を新規に表示部１２に表示させるための処理は、例えば以下に説明するようなものになる。すなわち、制御部１３は、所望のスロットキー２２が押下されると、表示位置指定ウィンドウ２６を立ち上げて、プレビュー画面２８において現在空いている分割領域のいずれかにその新規の操作画面２１を仮表示させる。その後、ユーザにより表示位置入替ボタン２９が適宜操作された後にＯＫボタン３０が押下されると、制御部１３は、既に表示されている操作画面２１と新規の操作画面２１とをそれぞれ所望の分割領域に表示させる。
【００６３】
また、表示部１２の全ての分割領域に操作画面２１が表示されている状態で新規に操作画面２１を表示させるための処理は、例えば以下に説明するようなものになる。すなわち、制御部１３は、既に表示されているいずれかの操作画面２１が対応しているスロットキー２２が再押下されることにより、その操作画面２１が表示されている分割領域を空ける。その後、新規の操作画面２１に対応するスロットキー２２が押下されると、制御部１３は、表示位置指定ウィンドウ２６を立ち上げて、プレビュー画面２８において現在空いている分割領域にその新規の操作画面２１を仮表示させる。その後、ユーザにより表示位置入替ボタン２９が適宜操作された後にＯＫボタン３０が押下されると、制御部１３は、既に表示されている操作画面２１と新規の操作画面２１とを表示部１２のそれぞれ所望の分割領域に表示させる。
【００６４】
また、表示部１２の全ての分割領域に操作画面２１が表示されている状態で、新規の操作画面２１に対応するスロットキー２２が押下されると、制御部１３は、表示位置指定ウィンドウ２６を立ち上げて、ユーザに分割設定ボタン２７の操作により表示画面２０を更に分割することを促す。ユーザにより分割設定ボタン２７が操作されると、制御部１３は、プレビュー画面２８において現在空いている分割領域にその新規の操作画面２１を仮表示させる。その後、ユーザにより表示位置入替ボタン２９が適宜操作された後にＯＫボタン３０が押下されると、制御部１３は、既に表示されている操作画面２１と新規の操作画面２１とを表示部１２のそれぞれ所望の分割領域に表示させる。
【００６５】
また、表示位置指定ウィンドウ２６を用いて、表示画面２０の分割数をより少ない分割数に変更すること（例えば、４分割から２分割、２分割から１画面表示など）も可能である。例えば、変更後の分割数が、表示部１２における現在の操作画面２１の表示数以上となる場合は、制御部１３は、プレビュー画面２８において現在表示されている全ての操作画面２１をいずれかの分割領域にそれぞれ仮表示させる。その後、ユーザにより表示位置入替ボタン２９が適宜操作された後にＯＫボタン３０が押下されると、制御部１３は、各操作画面２１を表示部１２のそれぞれ所望の分割領域に表示させる。
【００６６】
一方、変更後の分割数が、表示部１２における現在の操作画面２１の表示数よりも少ない場合には、制御部１３は、現在表示されている操作画面２１を幾つか閉じることをユーザに促すメッセージ等を表示部１２に表示させることが望ましい。
【００６７】
なお、測定装置１００は、図２に示した誤り検出装置１１０だけでなく、図１０に示すような無線端末測定装置１２０であってもよい。例えば図１において、スロットＳＬ３に測定モジュールＭとして信号発生器４１が実装され、スロットＳＬ４に測定モジュールＭとして信号解析装置としてのシグナルアナライザ４２が実装される。
【００６８】
ここでのＤＵＴ２００は、例えば無線通信アンテナとＲＦ回路を有する無線端末機器である。ＤＵＴ２００の通信規格としては、セルラ（ＬＴＥ、ＬＴＥ−Ａ、Ｗ−ＣＤＭＡ（登録商標）、ＧＳＭ（登録商標）、ＣＤＭＡ２０００、１ｘＥＶ−ＤＯ、ＴＤ−ＳＣＤＭＡ等）、無線ＬＡＮ（ＩＥＥＥ８０２．１１ｂ／ｇ／ａ／ｎ／ａｃ／ａｄ等）、Ｂｌｕｅｔｏｏｔｈ（登録商標）、ＧＮＳＳ（ＧＰＳ、Ｇａｌｉｌｅｏ、ＧＬＯＮＡＳＳ、ＢｅｉＤｏｕ等）、ＦＭ、及びディジタル放送（ＤＶＢ−Ｈ、ＩＳＤＢ−Ｔ等）が挙げられる。
【００６９】
信号発生器４１は、各通信規格の周波数に対応した試験信号を生成し、生成した試験信号をＤＵＴ２００に向けて出力するようになっている。
【００７０】
シグナルアナライザ４２は、信号発生器４１からの試験信号の入力に伴ってＤＵＴ２００から出力される被測定信号を解析するようになっている。例えば、シグナルアナライザ４２により、周波数、占有帯域幅、帯域内周波数特性、隣接チャネル漏洩電力、スプリアス放射等の無線信号の品質を評価するための測定を行うことができる。
【００７１】
なお、上記の試験信号は、本実施形態の無線端末測定装置１２０に対してＤＵＴ２００を呼接続状態とするなどの、ＤＵＴ２００の通信規格に対応した各種制御を行うための制御信号を含むものとする。また、上記の被測定信号は、本実施形態の無線端末測定装置１２０から出力された試験信号に対するＤＵＴ２００からの応答信号だけでなく、無線端末測定装置１２０からの試験信号とは無関係にＤＵＴ２００から出力される送信信号であってもよい。
【００７２】
なお、信号発生器４１及びシグナルアナライザ４２をそれぞれスロットＳＬ１〜ＳＬｎに複数個実装することにより、複数の試験信号をＤＵＴ２００に入力して、シグナルアナライザ４２でＤＵＴ２００から出力された複数の被測定信号を評価することも可能である。
【００７３】
以下、本実施形態の画面分割表示装置１０を用いる画面分割表示方法について、図１１のフローチャートを参照しながら説明する。
【００７４】
まず、制御部１３は、複数の測定モジュールＭの中から操作画面２１を呼び出すべき測定モジュールを選択するためのスロットキー２２や、画面分割ボタン２３を含むＧＵＩ（Graphical User Interface）を表示部１２に表示制御する（第１の表示制御ステップＳ１）。
【００７５】
次に、図３に示すように、制御部１３は、ユーザにより所望のスロットキー２２が押下されると、スロットキー２２により選択された測定モジュールＭの操作画面２１を１画面表示する（ステップＳ２）。
【００７６】
次に、制御部１３は、ユーザにより画面分割ボタン２３が押下されたか否かを検出する（ステップＳ３）。
【００７７】
次に、図４及び図５に示すように、制御部１３は、ステップＳ２で選択された測定モジュールＭの操作画面２１の表示位置を指定するための表示位置指定ウィンドウ２６を表示部１２に表示制御する（第２の表示制御ステップＳ４）。
【００７８】
次に、制御部１３は、ユーザによりＣａｎｃｅｌボタン３１が押下されたか否かを判断する（ステップＳ５）。否定判断の場合にはステップＳ６に進み、肯定判断の場合にはステップＳ１０に進む。
【００７９】
次に、制御部１３は、ユーザによりＯＫボタン３０が押下されたか否かを判断する（ステップＳ６）。否定判断の場合にはステップＳ７に進み、肯定判断の場合にはステップＳ９に進む。
【００８０】
次に、制御部１３は、ユーザにより分割設定ボタン２７又は表示位置入替ボタン２９が押下されたか否かを判断する（ステップＳ７）。肯定判断の場合にはステップＳ８に進み、否定判断の場合にはステップＳ５に戻る。
【００８１】
次に、図５〜図８に示すように、制御部１３は、ステップＳ７において分割設定ボタン２７により所望の分割数及び分割形状が設定されると、ステップＳ２で選択された測定モジュールＭの操作画面２１が表示される分割領域とその他の分割領域との位置関係をプレビュー画面２８に仮表示させる。さらに、図６〜図８に示すように、分割設定ボタン２７のうち"Single"以外が選択された場合には、制御部１３は、プレビュー画面２８において隣り合う分割領域の境目に表示位置入替ボタン２９を表示させる（ステップＳ８）。
【００８２】
次に、ステップＳ６においてユーザによりＯＫボタン３０が押下された場合に、図９に示すように、制御部１３は、表示位置指定ウィンドウ２６により指定された表示位置、すなわち分割領域に、スロットキー２２により選択された測定モジュールＭの操作画面２１を表示制御する（第３の表示制御ステップＳ９）。
【００８３】
次に、制御部１３は、表示位置指定ウィンドウ２６を閉じる表示制御を行う（ステップＳ１０）。
【００８４】
以上説明したように、本実施形態に係る画面分割表示装置１０は、実際に測定モジュールＭごとの操作画面２１の表示を行う前に、表示位置指定ウィンドウ２６により表示画面２０の分割と操作画面２１の表示位置の指定を行うことができる。このため、複数に分割された表示画面２０の各分割領域がフォーカスされているか否かをユーザに意識させることなく、所望の表示位置に容易に測定モジュールごとの操作画面２１を表示させることができる。
【００８５】
また、本実施形態に係る画面分割表示装置１０は、上下又は左右の分割領域に、所望の測定モジュールＭの操作画面２１を感覚的に移動操作することを可能にする。
【００８６】
また、本実施形態に係る画面分割表示装置１０は、測定装置１００が有する複数の測定モジュールＭごとに、測定パラメータを設定することができる。
【００８７】
また、本実施形態に係る画面分割表示装置１０は、操作部１４を表示部１２の表示画面２０の表面に設けられたタッチパネルで構成することにより、装置の小型化を図れるとともに、良好な操作性を得ることができる。
【００８８】
また、本実施形態に係る画面分割表示装置１０は、表示画面２０の分割を解除して、操作画面を１画面表示に戻すことができる。また、本実施形態に係る画面分割表示装置１０は、２画面分割と１画面表示を切り替える分割設定ボタン２７を有するため、ユーザが望む画面表示を容易に実現することができる。
【００８９】
また、本実施形態に係る測定装置１００は、測定試験に応じて、測定モジュールＭを適宜組み合わせて実装することを可能にする。
【００９０】
また、本実施形態に係る測定装置１００は、ＤＵＴ２００から出力される被測定信号に対して誤り率測定や品質評価を実行することができる。
【符号の説明】
【００９１】
１０  画面分割表示装置
１１  測定部
１２  表示部
１３  制御部
１４  操作部
１５  ジッタ変調源
１６  パルスパターン発生器
１７  誤り検出器
１８  シンセサイザ
２０  表示画面
２１  操作画面
２２  スロットキー
２３  画面分割ボタン
２４  測定開始ボタン
２５  測定停止ボタン
２６  表示位置指定ウィンドウ
２７  分割設定ボタン
２８  プレビュー画面
２９，２９ａ〜２９ｇ  表示位置入替ボタン
３０  ＯＫボタン
３１  Ｃａｎｃｅｌボタン
４１  信号発生器
４２  シグナルアナライザ
１００  測定装置
１１０  誤り検出装置
１２０  無線端末測定装置
２００  ＤＵＴ
Ｍ，Ｍａ〜Ｍｄ  測定モジュール
ＳＬ１〜ＳＬｎ  スロット
【図１】
2018128813.tif 000003
【図２】
2018128813.tif 000004
【図３】
2018128813.tif 000005
【図４】
2018128813.tif 000006
【図５】
2018128813.tif 000007
【図６】
2018128813.tif 000008
【図７】
2018128813.tif 000009
【図８】
2018128813.tif 000010
【図９】
2018128813.tif 000011
【図１０】
2018128813.tif 000012
【図１１】
2018128813.tif 000013